【手続補正書】
【提出日】平成29年11月2日(2017.11.2)
【手続補正１】
【補正対象書類名】特許請求の範囲
【補正対象項目名】全文
【補正方法】変更
【補正の内容】
【特許請求の範囲】
【請求項１】
パケット交換ビデオテレフォニー（ＰＳＶＴ）呼のための方法であって、
モバイル発信（ＭＯ）デバイスから、モバイル着信（ＭＴ）デバイスにＰＳＶＴ呼についての勧誘を送信すること、ここにおいて、前記勧誘は、前記ＰＳＶＴ呼を確立するためにビデオリソースとオーディオリソースとを予約および識別するためのプロセスを開始する、と、
前記ビデオリソースが前記ＰＳＶＴ呼のために利用可能であるかどうかを決定することと、
前記オーディオリソースが前記ＰＳＶＴ呼のために利用可能であり、前記ビデオリソースが前記ＰＳＶＴ呼のために利用可能でないという決定が行われるとき、前記ＭＯデバイスと前記ＭＴデバイスとの間にオーディオストリームのみを有する前記ＰＳＶＴ呼を確立することと
を備える、方法。
【請求項２】
前記ビデオリソースが利用可能でないと決定することは、前記ＭＯデバイスまたは前記ＭＴデバイスのためにビデオサービス品質（ＱｏＳ）がアクティブにされないと決定することを備える、
請求項１に記載の方法。
【請求項３】
前記送信することは、前記ＭＯに関連付けられた第１のネットワークエンティティと前記ＭＴに関連付けられた第２のネットワークエンティティとを介して前記ＭＯデバイスから前記ＭＴデバイスに前記勧誘を送信することを備える、
請求項１に記載の方法。
【請求項４】
前記第１のネットワークエンティティまたは前記第２のネットワークエンティティによって、前記ＰＳＶＴ呼の前記勧誘においてまたは前記勧誘への応答において、前記ビデオリソースが前記ＰＳＶＴ呼のために利用可能でないと示すことをさらに備え、前記第１のネットワークエンティティまたは前記第２のネットワークエンティティのいずれかは、バックツーバックユーザエージェント（Ｂ２ＢＵＡ）であり、前記ビデオリソースが前記ＰＳＶＴ呼のために利用可能でないと決定している、
請求項３に記載の方法。
【請求項５】
前記決定することは、
前記ＭＯデバイスが前記ＭＴデバイスから前記勧誘の肯定応答を受信するとき、前記ＭＯデバイスにおいて第１のタイマーを開始することと、
前記ＭＴデバイスが前記ＭＯデバイスに前記勧誘の前記肯定応答を送信するとき、前記ＭＴデバイスにおける第２のタイマーが開始されたと決定することと、
前記第１のタイマーまたは前記第２のタイマーのいずれかが満了する前に前記ＰＳＶＴ呼を確立するために前記ビデオリソースが予約され得ない場合、前記ビデオリソースが利用可能でないと決定することと
を備える、請求項１に記載の方法。
【請求項６】
前記ビデオリソースが利用可能であるという決定が行われるとき、前記ＰＳＶＴのビデオストリームのために前記ＭＯデバイスのビデオ構成要素を自動的に開始することと、
前記ＰＳＶＴ呼についての前記勧誘への応答を前記ＭＴデバイスのユーザから受信する前に前記ビデオ構成要素が開始される場合、前記ＭＯデバイスと前記ＭＴデバイスとの間の前記ＰＳＶＴ呼に前記ビデオストリームを追加することと
をさらに備える、請求項１に記載の方法。
【請求項７】
前記ビデオリソースが利用可能であるという決定に応答して、
前記ＰＳＶＴ呼のビデオストリームのために前記ＭＯデバイスのビデオ構成要素を自動的に開始することと、
前記ＭＴデバイスのユーザが前記ＰＳＶＴ呼についての前記勧誘に応答した後に前記ビデオ構成要素が開始される場合、前記ＭＯデバイスと前記ＭＴデバイスとの間に前記オーディオストリームのみを有する前記ＰＳＶＴ呼を確立することと、
前記ＭＯデバイスと前記ＭＴデバイスとの間の前記確立されたＰＳＶＴ呼に前記ビデオストリームを追加することと
をさらに備える、請求項１に記載の方法。
【請求項８】
前記勧誘におけるＱｏＳ属性内で、前記オーディオリソースのための強度タグを必須として設定することと、前記ビデオリソースのための強度タグを任意として設定することとをさらに備える、
請求項１に記載の方法。
【請求項９】
前記オーディオリソースを利用するボイスオーバーＩＰ（ＶｏＩＰ）呼のために前記ＭＯデバイスと前記ＭＴデバイスとの間に１つまたは複数の第１のベアラを確立することと、
前記ビデオリソースを利用する前記ＰＳＶＴ呼のために前記ＭＯデバイスと前記ＭＴデバイスとの間に１つまたは複数の第２のベアラを確立することと
をさらに備える、請求項１に記載の方法。
【請求項１０】
前記ＰＳＶＴ呼をボイスオーバーＩＰ（ＶｏＩＰ）呼に格下げすることをさらに備える、
請求項１に記載の方法。
【請求項１１】
前記ＶｏＩＰ呼は、ボイスオーバーロングタームエボリューション（ＶｏＬＴＥ）呼である、
請求項１０に記載の方法。
【請求項１２】
パケット交換ビデオテレフォニー（ＰＳＶＴ）呼のための装置であって、
情報を送信するように構成されたトランシーバと、
前記情報を記憶するように構成されたメモリと、
前記メモリと通信しているプロセッサとを備え、前記プロセッサおよび前記メモリは、
前記トランシーバを介してモバイル発信（ＭＯ）デバイスからモバイル着信（ＭＴ）デバイスにＰＳＶＴ呼についての勧誘を送信すること、ここにおいて、前記勧誘が、前記ＰＳＶＴ呼を確立するためにビデオリソースとオーディオリソースとを予約および識別するためのプロセスを開始する、と、
前記ビデオリソースが前記ＰＳＶＴ呼のために利用可能であるかどうかを決定することと、
前記オーディオリソースが前記ＰＳＶＴ呼のために利用可能であり、前記ビデオリソースが前記ＰＳＶＴ呼のために利用可能でないという決定が行われるとき、前記ＭＯデバイスと前記ＭＴデバイスとの間にオーディオストリームのみを有する前記ＰＳＶＴ呼を確立することと
を行うように構成された、装置。
【請求項１３】
前記プロセッサおよび前記メモリは、前記ＭＯデバイスまたは前記ＭＴデバイスのためにビデオサービス品質（ＱｏＳ）がアクティブにされないと決定するようにさらに構成された、
請求項１２に記載の装置。
【請求項１４】
前記プロセッサおよび前記メモリは、前記トランシーバを介して、前記ＭＯに関連付けられた第１のネットワークエンティティと前記ＭＴに関連付けられた第２のネットワークエンティティとを介して前記ＭＯデバイスから前記ＭＴデバイスに前記勧誘を送信するようにさらに構成された、
請求項１２に記載の装置。
【請求項１５】
前記第１のネットワークエンティティおよび前記第２のネットワークエンティティは、前記ＰＳＶＴ呼の前記勧誘においてまたは前記勧誘への応答において、前記ビデオリソースが前記ＰＳＶＴ呼のために利用可能でないと示すように構成され、前記第１のネットワークエンティティまたは前記第２のネットワークエンティティのいずれかはバックツーバックユーザエージェント（Ｂ２ＢＵＡ）であり、前記ビデオリソースが前記ＰＳＶＴ呼のために利用可能でないと決定している、
請求項１４に記載の装置。
【請求項１６】
前記プロセッサおよび前記メモリは、
前記ＭＯデバイスが前記ＭＴデバイスから前記勧誘の肯定応答を受信するとき、前記ＭＯデバイスにおいて第１のタイマーを開始することと、
前記ＭＴデバイスが前記ＭＯデバイスに前記勧誘の前記肯定応答を送信するとき、前記ＭＴデバイスにおける第２のタイマーが開始されたと決定することと、
前記第１のタイマーまたは前記第２のタイマーのいずれかが満了する前に前記ＰＳＶＴ呼を確立するために前記ビデオリソースが予約され得ない場合、前記ビデオリソースが利用可能でないと決定することと
を行うように構成された、請求項１２に記載の装置。
【請求項１７】
前記プロセッサおよび前記メモリは、
前記ビデオリソースが利用可能であるという決定が行われるとき、前記ＰＳＶＴのビデオストリームのために前記ＭＯデバイスのビデオ構成要素を自動的に開始することと、
前記ＰＳＶＴ呼についての前記勧誘への応答を前記ＭＴデバイスのユーザから受信する前に前記ビデオ構成要素が開始される場合、前記ＭＯデバイスと前記ＭＴデバイスとの間の前記ＰＳＶＴ呼に前記ビデオストリームを追加することと
を行うように構成された、請求項１２に記載の装置。
【請求項１８】
前記プロセッサおよび前記メモリは、
前記ビデオリソースが利用可能であるという決定に応答して、
前記ＰＳＶＴ呼のビデオストリームのために前記ＭＯデバイスのビデオ構成要素を自動的に開始することと、
前記ＭＴデバイスのユーザが前記ＰＳＶＴ呼についての前記勧誘に応答した後に前記ビデオ構成要素が開始される場合、前記ＭＯデバイスと前記ＭＴデバイスとの間に前記オーディオストリームのみを有する前記ＰＳＶＴ呼を確立することと、
前記ＭＯデバイスと前記ＭＴデバイスとの間の前記確立されたＰＳＶＴ呼に前記ビデオストリームを追加することと
を行うように構成された、請求項１２に記載の装置。
【請求項１９】
前記プロセッサおよび前記メモリが、前記勧誘におけるＱｏＳ属性内で、前記オーディオリソースのための強度タグを必須として設定することと、前記ビデオリソースのための強度タグを任意として設定することとを行うように構成された、
請求項１２に記載の装置。
【請求項２０】
前記プロセッサおよび前記メモリは、
前記オーディオリソースを利用するボイスオーバーＩＰ（ＶｏＩＰ）呼のために前記ＭＯデバイスと前記ＭＴデバイスとの間に１つまたは複数の第１のベアラを確立することと、
前記ビデオリソースを利用する前記ＰＳＶＴ呼のために前記ＭＯデバイスと前記ＭＴデバイスとの間に１つまたは複数の第２のベアラを確立することと
を行うように構成された、請求項１２に記載の装置。
【請求項２１】
前記プロセッサおよび前記メモリは、前記ＰＳＶＴ呼をボイスオーバーＩＰ（ＶｏＩＰ）呼に格下げするように構成された、
請求項１２に記載の装置。
【請求項２２】
前記ＶｏＩＰ呼は、ボイスオーバーロングタームエボリューション（ＶｏＬＴＥ）呼である、
請求項２１に記載の装置。
【請求項２３】
パケット交換ビデオテレフォニー（ＰＳＶＴ）呼のための装置であって、
モバイル発信（ＭＯ）デバイスからモバイル着信（ＭＴ）デバイスにＰＳＶＴ呼についての勧誘を送信するための手段、ここにおいて、前記勧誘が、前記ＰＳＶＴ呼を確立するためにビデオリソースとオーディオリソースとを予約および識別するためのプロセスを開始する、と、
前記ビデオリソースが前記ＰＳＶＴ呼のために利用可能であるかどうかを決定するための手段と、
前記オーディオリソースが前記ＰＳＶＴ呼のために利用可能であり、前記ビデオリソースが前記ＰＳＶＴ呼のために利用可能でないという決定が行われるとき、前記ＭＯデバイスと前記ＭＴデバイスとの間にオーディオストリームのみを有する前記ＰＳＶＴ呼を確立するための手段と
を備える、装置。
【請求項２４】
前記決定するための手段は、前記ＭＯデバイスまたは前記ＭＴデバイスのためにビデオサービス品質（ＱｏＳ）がアクティブにされないと決定するための手段を備える、
請求項２３に記載の装置。
【請求項２５】
前記送信するための手段は、前記ＭＯに関連付けられた第１のネットワークエンティティと前記ＭＴに関連付けられた第２のネットワークエンティティとを介して前記ＭＯデバイスから前記ＭＴデバイスに前記勧誘を送信するための手段を備える、請求項２４に記載の装置。
【請求項２６】
前記第１のネットワークエンティティまたは前記第２のネットワークエンティティによって、前記ＰＳＶＴ呼の前記勧誘においてまたは前記勧誘への応答において、前記ビデオリソースが前記ＰＳＶＴ呼のために利用可能でないと示すための手段をさらに備え、前記第１のネットワークエンティティまたは前記第２のネットワークエンティティのいずれかは、バックツーバックユーザエージェント（Ｂ２ＢＵＡ）であり、前記ビデオリソースが前記ＰＳＶＴ呼のために利用可能でないと決定している、
請求項２５に記載の装置。
【請求項２７】
前記決定するための手段は、
前記ＭＯデバイスが前記ＭＴデバイスから前記勧誘の肯定応答を受信するとき、前記ＭＯデバイスにおいて第１のタイマーを開始するための手段と、
前記ＭＴデバイスが前記ＭＯデバイスに前記勧誘の前記肯定応答を送信するとき、前記ＭＴデバイスにおける第２のタイマーが開始されたと決定するための手段と、
前記第１のタイマーまたは前記第２のタイマーのいずれかが満了する前に前記ＰＳＶＴ呼を確立するために前記ビデオリソースが予約され得ない場合、前記ビデオリソースが利用可能でないと決定するための手段と
を備える、請求項２３に記載の装置。
【請求項２８】
前記ビデオリソースが利用可能であるという決定が行われるとき、前記ＰＳＶＴのビデオストリームのために前記ＭＯデバイスのビデオ構成要素を自動的に開始するための手段と、
前記ＰＳＶＴ呼についての前記勧誘への応答を前記ＭＴデバイスのユーザから受信する前に前記ビデオ構成要素が開始される場合、前記ＭＯデバイスと前記ＭＴデバイスとの間の前記ＰＳＶＴ呼に前記ビデオストリームを追加するための手段と
をさらに備える、請求項２３に記載の装置。
【請求項２９】
前記ビデオリソースが利用可能であるという決定に応答して、
前記ＰＳＶＴ呼のビデオストリームのために前記ＭＯデバイスのビデオ構成要素を自動的に開始するための手段と、
前記ＭＴデバイスのユーザが前記ＰＳＶＴ呼についての前記勧誘に応答した後に前記ビデオ構成要素が開始される場合、前記ＭＯデバイスと前記ＭＴデバイスとの間に前記オーディオストリームのみを有する前記ＰＳＶＴ呼を確立するための手段と、
前記ＭＯデバイスと前記ＭＴデバイスとの間の前記確立されたＰＳＶＴ呼に前記ビデオストリームを追加するための手段と
をさらに備える、請求項２３に記載の装置。
【請求項３０】
パケット交換ビデオテレフォニー（ＰＳＶＴ）呼のためのコンピュータ実行可能コードを記憶した非一時的なコンピュータ可読媒体であって、
モバイル発信（ＭＯ）デバイスからモバイル着信（ＭＴ）デバイスにＰＳＶＴ呼についての勧誘を送信するためのコード、ここにおいて、前記勧誘が、前記ＰＳＶＴ呼を確立するためにビデオリソースとオーディオリソースとを予約および識別するためのプロセスを開始する、と、
前記ビデオリソースが前記ＰＳＶＴ呼のために利用可能であるかどうかを決定するためのコードと、
前記オーディオリソースが前記ＰＳＶＴ呼のために利用可能であり、前記ビデオリソースが前記ＰＳＶＴ呼のために利用可能でないという決定が行われるとき、前記ＭＯデバイスと前記ＭＴデバイスとの間にオーディオストリームのみを有する前記ＰＳＶＴ呼を確立するためのコードと
を備える、非一時的なコンピュータ可読媒体。
【手続補正２】
【補正対象書類名】明細書
【補正対象項目名】０１１５
【補正方法】変更
【補正の内容】
【０１１５】
[00129]上記の開示は、例示的な態様および／または実施形態について論じたが、添付の特許請求の範囲によって定義された記載の態様および／または実施形態の範囲から逸脱することなく、様々な変更および改変が本明細書で行われ得ることに留意されたい。さらに、記載の態様および／または実施形態の要素は、単数形で説明または特許請求されていることがあるが、単数形に限定することが明示的に述べられていない限り、複数形が企図される。さらに、任意の態様および／または実施形態の全部または一部は、別段に記載されていない限り、任意の他の態様および／または実施形態の全部または一部とともに利用され得る。
以下に本願の出願当初の特許請求の範囲に記載された発明を付記する。
［Ｃ１］
パケット交換ビデオテレフォニー（ＰＳＶＴ）呼のための方法であって、
モバイル発信（ＭＯ）デバイスから、モバイル着信（ＭＴ）デバイスにＰＳＶＴ呼についての勧誘を送信すること、ここにおいて、前記勧誘は、前記ＰＳＶＴ呼を確立するためにビデオリソースとオーディオリソースとを予約および識別するためのプロセスを開始する、と、
前記ビデオリソースが前記ＰＳＶＴ呼のために利用可能であるかどうかを決定することと、
前記オーディオリソースが前記ＰＳＶＴ呼のために利用可能であり、前記ビデオリソースが前記ＰＳＶＴ呼のために利用可能でないという決定が行われるとき、前記ＭＯデバイスと前記ＭＴデバイスとの間にオーディオストリームのみを有する前記ＰＳＶＴ呼を確立することと
を備える、方法。
［Ｃ２］
前記ビデオリソースが利用可能でないと決定することは、前記ＭＯデバイスまたは前記ＭＴデバイスのためにビデオサービス品質（ＱｏＳ）がアクティブにされないと決定することを備える、
Ｃ１に記載の方法。
［Ｃ３］
前記送信することは、前記ＭＯに関連付けられた第１のネットワークエンティティと前記ＭＴに関連付けられた第２のネットワークエンティティとを介して前記ＭＯデバイスから前記ＭＴデバイスに前記勧誘を送信することを備える、
Ｃ１に記載の方法。
［Ｃ４］
前記第１のネットワークエンティティまたは前記第２のネットワークエンティティによって、前記ＰＳＶＴ呼の前記勧誘においてまたは前記勧誘への応答において、前記ビデオリソースが前記ＰＳＶＴ呼のために利用可能でないと示すことをさらに備え、前記第１のネットワークエンティティまたは前記第２のネットワークエンティティのいずれかは、バックツーバックユーザエージェント（Ｂ２ＢＵＡ）であり、前記ビデオリソースが前記ＰＳＶＴ呼のために利用可能でないと決定している、
Ｃ３に記載の方法。
［Ｃ５］
前記決定することは、
前記ＭＯデバイスが前記ＭＴデバイスから前記勧誘の肯定応答を受信するとき、前記ＭＯデバイスにおいて第１のタイマーを開始することと、
前記ＭＴデバイスが前記ＭＯデバイスに前記勧誘の前記肯定応答を送信するとき、前記ＭＴデバイスにおける第２のタイマーが開始されたと決定することと、
前記第１のタイマーまたは前記第２のタイマーのいずれかが満了する前に前記ＰＳＶＴ呼を確立するために前記ビデオリソースが予約され得ない場合、前記ビデオリソースが利用可能でないと決定することと
を備える、Ｃ１に記載の方法。
［Ｃ６］
前記ビデオリソースが利用可能であるという決定が行われるとき、前記ＰＳＶＴのビデオストリームのために前記ＭＯデバイスのビデオ構成要素を自動的に開始することと、
前記ＰＳＶＴ呼についての前記勧誘への応答を前記ＭＴデバイスのユーザから受信する前に前記ビデオ構成要素が開始される場合、前記ＭＯデバイスと前記ＭＴデバイスとの間の前記ＰＳＶＴ呼に前記ビデオストリームを追加することと
をさらに備える、Ｃ１に記載の方法。
［Ｃ７］
前記ビデオリソースが利用可能であるという決定に応答して、
前記ＰＳＶＴ呼のビデオストリームのために前記ＭＯデバイスのビデオ構成要素を自動的に開始することと、
前記ＭＴデバイスのユーザが前記ＰＳＶＴ呼についての前記勧誘に応答した後に前記ビデオ構成要素が開始される場合、前記ＭＯデバイスと前記ＭＴデバイスとの間に前記オーディオストリームのみを有する前記ＰＳＶＴ呼を確立することと、
前記ＭＯデバイスと前記ＭＴデバイスとの間の前記確立されたＰＳＶＴ呼に前記ビデオストリームを追加することと
をさらに備える、Ｃ１に記載の方法。
［Ｃ８］
前記勧誘におけるＱｏＳ属性内で、前記オーディオリソースのための強度タグを必須として設定することと、前記ビデオリソースのための強度タグを任意として設定することとをさらに備える、
Ｃ１に記載の方法。
［Ｃ９］
前記オーディオリソースを利用するボイスオーバーＩＰ（ＶｏＩＰ）呼のために前記ＭＯデバイスと前記ＭＴデバイスとの間に１つまたは複数の第１のベアラを確立することと、
前記ビデオリソースを利用する前記ＰＳＶＴ呼のために前記ＭＯデバイスと前記ＭＴデバイスとの間に１つまたは複数の第２のベアラを確立することと
をさらに備える、Ｃ１に記載の方法。
［Ｃ１０］
前記ＰＳＶＴ呼をボイスオーバーＩＰ（ＶｏＩＰ）呼に格下げすることをさらに備える、
Ｃ１に記載の方法。
［Ｃ１１］
前記ＶｏＩＰ呼は、ボイスオーバーロングタームエボリューション（ＶｏＬＴＥ）呼である、
Ｃ１０に記載の方法。
［Ｃ１２］
パケット交換ビデオテレフォニー（ＰＳＶＴ）呼のための装置であって、
情報を送信するように構成されたトランシーバと、
前記情報を記憶するように構成されたメモリと、
前記メモリと通信しているプロセッサとを備え、前記プロセッサおよび前記メモリは、
前記トランシーバを介してモバイル発信（ＭＯ）デバイスからモバイル着信（ＭＴ）デバイスにＰＳＶＴ呼についての勧誘を送信すること、ここにおいて、前記勧誘が、前記ＰＳＶＴ呼を確立するためにビデオリソースとオーディオリソースとを予約および識別するためのプロセスを開始する、と、
前記ビデオリソースが前記ＰＳＶＴ呼のために利用可能であるかどうかを決定することと、
前記オーディオリソースが前記ＰＳＶＴ呼のために利用可能であり、前記ビデオリソースが前記ＰＳＶＴ呼のために利用可能でないという決定が行われるとき、前記ＭＯデバイスと前記ＭＴデバイスとの間にオーディオストリームのみを有する前記ＰＳＶＴ呼を確立することと
を行うように構成された、装置。
［Ｃ１３］
前記プロセッサおよび前記メモリは、前記ＭＯデバイスまたは前記ＭＴデバイスのためにビデオサービス品質（ＱｏＳ）がアクティブにされないと決定するようにさらに構成された、
Ｃ１２に記載の装置。
［Ｃ１４］
前記プロセッサおよび前記メモリは、前記トランシーバを介して、前記ＭＯに関連付けられた第１のネットワークエンティティと前記ＭＴに関連付けられた第２のネットワークエンティティとを介して前記ＭＯデバイスから前記ＭＴデバイスに前記勧誘を送信するようにさらに構成された、
Ｃ１２に記載の装置。
［Ｃ１５］
前記第１のネットワークエンティティおよび前記第２のネットワークエンティティは、前記ＰＳＶＴ呼の前記勧誘においてまたは前記勧誘への応答において、前記ビデオリソースが前記ＰＳＶＴ呼のために利用可能でないと示すように構成され、前記第１のネットワークエンティティまたは前記第２のネットワークエンティティのいずれかはバックツーバックユーザエージェント（Ｂ２ＢＵＡ）であり、前記ビデオリソースが前記ＰＳＶＴ呼のために利用可能でないと決定している、
Ｃ１４に記載の装置。
［Ｃ１６］
前記プロセッサおよび前記メモリは、
前記ＭＯデバイスが前記ＭＴデバイスから前記勧誘の肯定応答を受信するとき、前記ＭＯデバイスにおいて第１のタイマーを開始することと、
前記ＭＴデバイスが前記ＭＯデバイスに前記勧誘の前記肯定応答を送信するとき、前記ＭＴデバイスにおける第２のタイマーが開始されたと決定することと、
前記第１のタイマーまたは前記第２のタイマーのいずれかが満了する前に前記ＰＳＶＴ呼を確立するために前記ビデオリソースが予約され得ない場合、前記ビデオリソースが利用可能でないと決定することと
を行うように構成された、Ｃ１２に記載の装置。
［Ｃ１７］
前記プロセッサおよび前記メモリは、
前記ビデオリソースが利用可能であるという決定が行われるとき、前記ＰＳＶＴのビデオストリームのために前記ＭＯデバイスのビデオ構成要素を自動的に開始することと、
前記ＰＳＶＴ呼についての前記勧誘への応答を前記ＭＴデバイスのユーザから受信する前に前記ビデオ構成要素が開始される場合、前記ＭＯデバイスと前記ＭＴデバイスとの間の前記ＰＳＶＴ呼に前記ビデオストリームを追加することと
を行うように構成された、Ｃ１２に記載の装置。
［Ｃ１８］
前記プロセッサおよび前記メモリは、
前記ビデオリソースが利用可能であるという決定に応答して、
前記ＰＳＶＴ呼のビデオストリームのために前記ＭＯデバイスのビデオ構成要素を自動的に開始することと、
前記ＭＴデバイスのユーザが前記ＰＳＶＴ呼についての前記勧誘に応答した後に前記ビデオ構成要素が開始される場合、前記ＭＯデバイスと前記ＭＴデバイスとの間に前記オーディオストリームのみを有する前記ＰＳＶＴ呼を確立することと、
前記ＭＯデバイスと前記ＭＴデバイスとの間の前記確立されたＰＳＶＴ呼に前記ビデオストリームを追加することと
を行うように構成された、Ｃ１２に記載の装置。
［Ｃ１９］
前記プロセッサおよび前記メモリが、前記勧誘におけるＱｏＳ属性内で、前記オーディオリソースのための強度タグを必須として設定することと、前記ビデオリソースのための強度タグを任意として設定することとを行うように構成された、
Ｃ１２に記載の装置。
［Ｃ２０］
前記プロセッサおよび前記メモリは、
前記オーディオリソースを利用するボイスオーバーＩＰ（ＶｏＩＰ）呼のために前記ＭＯデバイスと前記ＭＴデバイスとの間に１つまたは複数の第１のベアラを確立することと、
前記ビデオリソースを利用する前記ＰＳＶＴ呼のために前記ＭＯデバイスと前記ＭＴデバイスとの間に１つまたは複数の第２のベアラを確立することと
を行うように構成された、Ｃ１２に記載の装置。
［Ｃ２１］
前記プロセッサおよび前記メモリは、前記ＰＳＶＴ呼をボイスオーバーＩＰ（ＶｏＩＰ）呼に格下げするように構成された、
Ｃ１２に記載の装置。
［Ｃ２２］
前記ＶｏＩＰ呼は、ボイスオーバーロングタームエボリューション（ＶｏＬＴＥ）呼である、
Ｃ２１に記載の装置。
［Ｃ２３］
パケット交換ビデオテレフォニー（ＰＳＶＴ）呼のための装置であって、
モバイル発信（ＭＯ）デバイスからモバイル着信（ＭＴ）デバイスにＰＳＶＴ呼についての勧誘を送信するための手段と、ここにおいて、前記勧誘が、前記ＰＳＶＴ呼を確立するためにビデオリソースとオーディオリソースとを予約および識別するためのプロセスを開始する、
前記ビデオリソースが前記ＰＳＶＴ呼のために利用可能であるかどうかを決定するための手段と、
前記オーディオリソースが前記ＰＳＶＴ呼のために利用可能であり、前記ビデオリソースが前記ＰＳＶＴ呼のために利用可能でないという決定が行われるとき、前記ＭＯデバイスと前記ＭＴデバイスとの間にオーディオストリームのみを有する前記ＰＳＶＴ呼を確立するための手段と
を備える、装置。
［Ｃ２４］
前記決定するための手段は、前記ＭＯデバイスまたは前記ＭＴデバイスのためにビデオサービス品質（ＱｏＳ）がアクティブにされないと決定するための手段を備える、
Ｃ２３に記載の装置。
［Ｃ２５］
前記送信するための手段は、前記ＭＯに関連付けられた第１のネットワークエンティティと前記ＭＴに関連付けられた第２のネットワークエンティティとを介して前記ＭＯデバイスから前記ＭＴデバイスに前記勧誘を送信するための手段を備える、Ｃ２４に記載の装置。
［Ｃ２６］
前記第１のネットワークエンティティまたは前記第２のネットワークエンティティによって、前記ＰＳＶＴ呼の前記勧誘においてまたは前記勧誘への応答において、前記ビデオリソースが前記ＰＳＶＴ呼のために利用可能でないと示すための手段をさらに備え、前記第１のネットワークエンティティまたは前記第２のネットワークエンティティのいずれかは、バックツーバックユーザエージェント（Ｂ２ＢＵＡ）であり、前記ビデオリソースが前記ＰＳＶＴ呼のために利用可能でないと決定している、
Ｃ２５に記載の装置。
［Ｃ２７］
前記決定するための手段は、
前記ＭＯデバイスが前記ＭＴデバイスから前記勧誘の肯定応答を受信するとき、前記ＭＯデバイスにおいて第１のタイマーを開始するための手段と、
前記ＭＴデバイスが前記ＭＯデバイスに前記勧誘の前記肯定応答を送信するとき、前記ＭＴデバイスにおける第２のタイマーが開始されたと決定するための手段と、
前記第１のタイマーまたは前記第２のタイマーのいずれかが満了する前に前記ＰＳＶＴ呼を確立するために前記ビデオリソースが予約され得ない場合、前記ビデオリソースが利用可能でないと決定するための手段と
を備える、Ｃ２３に記載の装置。
［Ｃ２８］
前記ビデオリソースが利用可能であるという決定が行われるとき、前記ＰＳＶＴのビデオストリームのために前記ＭＯデバイスのビデオ構成要素を自動的に開始するための手段と、
前記ＰＳＶＴ呼についての前記勧誘への応答を前記ＭＴデバイスのユーザから受信する前に前記ビデオ構成要素が開始される場合、前記ＭＯデバイスと前記ＭＴデバイスとの間の前記ＰＳＶＴ呼に前記ビデオストリームを追加するための手段と
をさらに備える、Ｃ２３に記載の装置。
［Ｃ２９］
前記ビデオリソースが利用可能であるという決定に応答して、
前記ＰＳＶＴ呼のビデオストリームのために前記ＭＯデバイスのビデオ構成要素を自動的に開始するための手段と、
前記ＭＴデバイスのユーザが前記ＰＳＶＴ呼についての前記勧誘に応答した後に前記ビデオ構成要素が開始される場合、前記ＭＯデバイスと前記ＭＴデバイスとの間に前記オーディオストリームのみを有する前記ＰＳＶＴ呼を確立するための手段と、
前記ＭＯデバイスと前記ＭＴデバイスとの間の前記確立されたＰＳＶＴ呼に前記ビデオストリームを追加するための手段と
をさらに備える、Ｃ２３に記載の装置。
［Ｃ３０］
パケット交換ビデオテレフォニー（ＰＳＶＴ）呼のためのコンピュータ実行可能コードを記憶したコンピュータ可読媒体であって、
モバイル発信（ＭＯ）デバイスからモバイル着信（ＭＴ）デバイスにＰＳＶＴ呼についての勧誘を送信するためのコードと、ここにおいて、前記勧誘が、前記ＰＳＶＴ呼を確立するためにビデオリソースとオーディオリソースとを予約および識別するためのプロセスを開始する、
前記ビデオリソースが前記ＰＳＶＴ呼のために利用可能であるかどうかを決定するためのコードと、
前記オーディオリソースが前記ＰＳＶＴ呼のために利用可能であり、前記ビデオリソースが前記ＰＳＶＴ呼のために利用可能でないという決定が行われるとき、前記ＭＯデバイスと前記ＭＴデバイスとの間にオーディオストリームのみを有する前記ＰＳＶＴ呼を確立するためのコードと
を備える、コンピュータ可読媒体。